(57)【要約】【課題】羊毛繊維を石けん水で濡らしてこするとフェルトにするハイドメイド技術では、水に濡れても大丈夫な場所で作業しなければならないし、手でこすることから大きな労力と時間を要した。【解決手段】本発明に係るフェルト製品制作器は、開閉容器の本体２側と蓋３側に、閉蓋したときに互に対面する２つの板４、５を設け、該２つの板４、５の少なくとも一方を他方に対して加圧するとともに該加圧側の板又は被加圧側の板の少なくとも一方を面方向の微小運動をさせるようにしたことを特徴とし、容器内で対面する２つの板が羊毛に圧を掛けながらこする手作業の役目ができ、しかも周囲を水浸しにすることがないように構成した。【選択図】      図１
2005002479.tif 000002
【特許請求の範囲】
【請求項１】
開閉容器の本体側と蓋側に、閉蓋したときに互に対面する板を設け、該２つの板の少なくとも一方を他方に対して加圧するとともに該加圧側の板又は被加圧側の板の少なくとも一方を面方向の微小運動をさせるようにしたことを特徴とするフェルト製品制作器。
【請求項２】
前記本体側の板が、該本体の開口縁に固定され、蓋側の板が背面からバネ付勢され、更に、該蓋側の板が蓋の外面に設けたハンドル付き円盤の回転に連動して面方向の微小偏心運動に変換できるようにしたことを特徴とする請求項１に記載のフェルト製品制作器。
【請求項３】
前記本体側の板が、扁平皿型に形成され、立壁と底面との夾角部に排水孔を備えていることを特徴とする請求項２に記載のフェルト製品制作器。
【請求項４】
前記２つの板の対向面が、それぞれ粗面に仕上げられていることを特徴とする請求項１〜３のうちの１に記載のフェルト製品制作器。
【発明の詳細な説明】
【０００１】
【発明の属する技術分野】
本発明は、羊毛繊維を石けん水で濡らしてこすってフェルトにするハイドメイド技術に適用できるフェルト製品制作器に関するものである。
【０００２】
【従来の技術】
一般に羊毛繊維は、湯や水で濡らしてこすると絡んでフェルト化することは知られている。この湯や水に少量の洗剤を混入して得た石けん水を使用すると繊維の滑りが良くなり、よりフェルト化し易くなる。この「フェルト化」の原理は、羊毛繊維の表面にあるキューティクルという一方向を向いた細かい鱗状片が、湯や水（好ましくは石けん水）に濡れると広がって絡み易くなることに基づくものである。
【０００３】
羊毛繊維のフェルト化は通常次の手順で行われる。即ち、（１）羊毛と石けん水を用意する。（２）羊毛をちぎってビニールシートなどの上に、縦方向、横方向の如く交互に均等の厚さになるように積層した後、（３）積層された羊毛に石けん水をかけて手で万遍なくこすると、１０〜１５分でフェルト化する。
【０００４】
【発明が解決しようとする課題】
しかしながら、上記ハイドメイド技術には、使用する石けん水が周囲に飛散しても大丈夫な場所（例えば、台所の流しや風呂場など）を選ぶ必要があり、何処でも手軽に作業が出来るものではなかった。また、濡らした羊毛を手で万遍なく全体的に均等にこすることは困難が伴ったし、その作業には大きな労力と時間を要するなどの各種の問題があった。
【０００５】
本発明は、上記問題を解消するためのもので、何処にても手軽に作業が出来るとともに、こすり作業の省力化が期待できるフェルト製品制作器を提供することを目的としている。また、他の目的は玩具感覚でフェルト製品の制作を楽しむことができるフェルト製品制作器を提供することにある。
【０００６】
【課題を解決するための手段】
上記目的を達成するため、本発明は、開閉容器の本体側と蓋側に、閉蓋したときに互に対面する板を設け、該２つの板の少なくとも一方を他方に対して加圧するとともに該加圧側の板又は被加圧側の板の少なくとも一方を面方向の微小運動をさせるようにしたことを特徴とし、容器内で対面する２つの板が、羊毛に適度の圧を掛けながらこするという手作業の役目を果たし、しかも、こすり時に羊毛に含ませた水分が周囲に飛び散ることがないように構成した。
【０００７】
また、請求項２に記載の発明は、前記本体側の板が、該本体の開口縁に固定され、蓋側の板が背面からバネ付勢され、更に、該蓋側の板が蓋の外面に設けたハンドル付き円盤の回転に連動して面方向の微小偏心運動に変換できるようにしたことを特徴とし、容器の蓋を開け、本体側にあらわれた板上で羊毛を積層、セットした後、これに石けん水をかけて蓋を閉じ、蓋に備えたハンドルを回すという一連の遊び（玩具）感覚でフェルト製品を簡単に完成させることができるように構成した。
【０００８】
さらに、請求項３に記載の発明は、前記本体側の板が、扁平皿型に形成され、立壁と底面との夾角部に排水孔を備えていることを特徴とし、こすり時に羊毛が板外にはみ出さないようにするとともに、羊毛より搾水されて皿内に溜まった余剰水を効率良く皿外に排出させて適度の水分量でフェルト化作業ができるように構成した。
【０００９】
さらに、請求項４に記載の発明は、前記２つの板の対向面が、それぞれ粗面に仕上げられていることを特徴とし、羊毛とこれに対向する板との間の必要な摩擦抵抗を保持させ、羊毛全体にけん縮に必要な適度の振動が効率的に加えられるように構成した。
【００１０】
【発明の実施の形態】
次に、本発明の実施の形態を図１〜図６に基づいて説明する。図１は本願制作器を示す一部切欠外観斜視図、図２は本願制作器の正面断面図、図３は蓋側の板の微小偏心運動を示す平面図、図４（ａ）は蓋を開けて羊毛を積層、セットした状態を示す斜視図、（ｂ）は羊毛と型と石けん水を示す斜視図、図５は蓋を閉じて羊毛を板間に挟持させた状態を示す正面断面図、図６は閉じた蓋の外からハンドル操作している状態を示す斜視図である。
【００１１】
本願制作器１は、開閉容器の本体２側と蓋３側に、閉蓋したときに容器内で互に対面する板４、５を備えている。この２つの板４、５のうち、本体２側の板４は開口縁に取り外し可能に固定されている。一方、蓋３側の板５は背面にバネ６を備え、該バネ６により本体２側の板４に対して加圧させている。この加圧には図示の例では一つひとつは弱いバネ力のコイルバネを４個所に用いて最適な圧が掛けられるようにしているが、コイルバネ以外の手段、例えば、重錘、スポンジ材、空気を満たした風船のような弾体、板バネなどを用いてもよい。なお、本体２側の板４を加圧側、蓋３側の板５を被加圧側になるように交換してもよい。
【００１２】
前記蓋３側の板５は面方向に微小運動できるようになっている。この運動は蓋３の外面に、ハンドル７を有する円盤８を備え、該ハンドル７を操作して回転させた円盤８に連動して変換できるようになっている。この変換手段として実施例では、前記円盤８の内面（容器内）の偏心位置に摺動性素材からなる筒体９を立て、該筒体９に嵌入できる摺動性素材からなる筒体１０を、前記蓋３側の板５に立てることにより構成している。
【００１３】
即ち、円盤８に立てた筒体９の中心Ｐ′を、円盤８の回転中心Ｐから若干ずらしているから、円盤８をハンドル７を操作して回転させると、筒体９は偏心運動するとともに、これに嵌入した筒体１０及び板５を偏心運動させる。この板５の偏心運動の大きさは、円盤８の回転中心Ｐと筒体９の中心Ｐ′とのずれの大きさにより調整できるから、板５に面方向の微小偏心運動を付与することができるものである。勿論、板５の面方向の微小偏心運動は、他の機構（例えばクランク機構の利用）によっても付与できる一方、駆動力は手動に限らず、電動式にすることも可能である。
【００１４】
前記本体２側の板４は、扁平皿型に形成されている。これは板４上で積層、セットに際し、或いは蓋３側の板５のこすり運動によって、羊毛が板外にはみ出し難くするために有効である。また、皿型の板４の立壁と底面との夾角部には排水孔（スリット）１１を備え、濡らした羊毛を板５でこするときに搾水されて滲み出して皿内に溜まった余剰水を効率良く皿外に排出して羊毛を適度の水分量でこすり作業ができるように工夫している。そして皿外に排出された水は本体２内に受領され、適時、板４を取り外して捨てられる。また、本体２の内底部には、補強リブ１２が形成され、扁平皿型の板４を下面から支承し、前記蓋３側の板５の加圧時に撓まないように工夫している。
【００１５】
また、前記２つの板４、５の対向面は、それぞれ粗面に仕上げられている。この粗面は微細なエンボス加工により形成して満足できる。このように本体２側の板４及び蓋３側の板５の対向面が粗面になっていると、これらの板と羊毛との摩擦抵抗が高まり、従って、羊毛は本体２側の板４にしっかり保持された状態で蓋３側の板５により上面が効率的にこすられることとなる。つまり、羊毛は、板５による「こすり運動」により全体的に適度の振動が加えられる恰好となり、羊毛繊維のけん縮（絡み易さの付与）を早めさせることとなる。
【００１６】
前記本願制作器１の開閉容器を構成する本体２と蓋３は、プラスチック素材により形成され、しかも、図４の如く、本体２に対して蓋３が、蝶番１３、１３′を介してクラムシェル状に開放できるようになっている。また、蓋３の開放端側にはスライド錠１４が設けられ、蓋３を閉じてスライド錠１４を閉方向にスライドさせると閉蓋状態が確実に維持できるようになっている。なお、本体２と蓋３はクラムシェル状に開放できるばかりでなく、他の構成、例えば、図示を省略したが、本体２と蓋３を浅い有底円筒体に形成し、両開口端を互いに突き合わせ結合させても、開口端の径を変えて嵌合式に結合できるようにしても、更には、その嵌合部にスクリュウを設けて互いに螺合できるようにしてもよい。
【００１７】
次に、本発明の作用をフェルト手袋の制作手順に従って説明する。まず、図４（ｂ）の如く、羊毛Ｙと手袋型Ｋと石けん水Ｗとを用意する。羊毛Ｙは繊維の方向が多方向に並んでいるシート状のものでもよいが、繊維の方向が同一方向に並んでいる紐状のものが扱い易い。手袋型Ｋは非透水性の素材、例えば、プラスチック板を打ち抜い作られている。この手袋型Ｋはある程度の「腰」があって柔軟性を有するものが取扱上有効である。特に、出来たフェルト手袋から型を抜き出すときに有効である。石けん水Ｗは、５００ｍｌのペットボトルＢの水（湯）量に対して液体洗剤（市販のものでよい）を１〜２滴加えた程度の薄い石けん水がよい。ペットボトルＢのキャップＢ′には予めキリなどで複数の穴Ａをあけておくと、シャワー状になるので好ましい。
【００１８】
次いで、スライド錠１４を開方向にスライドさせて蓋３を開放させる。これにより本体２上には扁平皿型の板４があらわれるので、その板４上に、まず、手袋型Ｋをおき、この型Ｋの上から羊毛Ｙを手でちぎって、縦方向、横方向の如く交互に均等の厚さになるように積層する。この積層に際し、羊毛Ｙは手袋型Ｋの周囲からはみ出すようにすることが重要である。
【００１９】
しかる後、羊毛Ｙを手袋型Ｋと共に板４上で反転させ、羊毛Ｙを下向きに、手袋型Ｋを上向きにする。そして前記と同様に、手袋型Ｋの上から羊毛Ｙを手でちぎって型Ｋの周囲からはみ出すように積層する。これにより板４上には、中層に手袋型Ｋが介在された羊毛Ｙが、図４（ａ）の如く形成されるから、この羊毛Ｙに石けん水Ｗを散布する。
【００２０】
次いで、蓋３を閉じてスライド錠１４を閉方向にスライドさせて施錠する。これにより手袋型Ｋを中層に介在した羊毛Ｙが、図５の如く、２つの板４、５間に挟圧される。しかる後、オペレータは、図６の如く、ハンドル７を把持して矢印の如く回転操作（回転方向は問わない）すると、円盤８の回転に連動して蓋３側の板５が面方向に微小偏心運動（前進、横進、後進、前進点に戻る小さなスクエア運動）して羊毛Ｙの上面をこする。この「こすり作業」中、羊毛Ｙからしみ出て皿内に溜まった余剰水は排水孔１１より皿外に排水され、適度の水分量にて羊毛のこすりが継続される。
【００２１】
しかして、羊毛Ｙはハンドル７の回転操作を開始してから一定の時間の経過によりフェルト化し、手袋型Ｋの周囲からはみ出した部分はその上下層間が一体化（接着）し、手袋型Ｋが介在された中層部分は上下層間が絶縁されているため袋状の穴として残る。
【００２２】
羊毛Ｙがフェルト化したか否かは容器の外からは目視できないが、オペレータは、本願制作器１のマニュアル本より得た知識、或いは現実の制作の繰り返しにより学習した知識に基づいてハンドル７の回転操作を停止し、スライド錠１４を開方向にスライドさせて蓋３を開放し、板４上から制作品（手袋原品）を取り出して手袋型Ｋを抜き取る。なお、図示の例では、羊毛Ｙを積層するときに、手袋型Ｋの手首部から羊毛をはみ出させてはいないが、手袋型Ｋの手首部を含めて総て羊毛をはみ出させ、フェルト化後に手首部を覆ったフェルトをカットし、手袋型Ｋを抜き取るようにしても良いことは勿論である。
【００２３】
前記手袋原品は手袋型Ｋを抜き取ったままでも手袋として充分適用できるが、好ましくは、周囲の接着代を隠すために手袋原品の内外面を反転させると体裁がよくなる。
【００２４】
【発明の効果】
以上説明したように、本発明に係るフェルト製品制作器は、開閉容器の本体側と蓋側に、閉蓋したときに互に対面する板を設け、該２つの板の少なくとも一方を他方に対して加圧するとともに該加圧側の板又は被加圧側の板の少なくとも一方を面方向の微小運動をさせるようにしたことを特徴としているから、容器内で対面する板が羊毛に圧を掛けながらこするという手作業の役目を果たすばかりでなく、こすり時に羊毛に含ませた水分が周囲に飛び散ることがない。従って、何処にても手軽に作業が出来るし、こすり作業の省力化が期待できるなどの優れた効果を奏するものである。
【００２５】
また、請求項２に記載の発明に係るフェルト製品制作器は、前記本体側の板が該本体の開口縁に固定され、蓋側の板が背面からバネ付勢され、更に、該蓋側の板が蓋の外面に設けたハンドル付き円盤の回転に連動して面方向の微小偏心運動に変換できるようにしたことを特徴としているから、容器の蓋を開け、本体側にあらわれた板上で羊毛を積層、セットした後、これに石けん水をかけて蓋を閉じ蓋に備えたハンドルを回すという一連の遊び感覚でフェルト製品を簡単に完成させることができるという優れた効果を奏するものである。
【００２６】
さらに、請求項３に記載の発明に係るフェルト製品制作器は、前記本体側の板が、扁平皿型に形成され、立壁と底面との夾角部に排水孔を備えていることを特徴としているから、こすり時に羊毛が板外にはみ出さないようにするとともに、羊毛より搾水されて皿内に溜まった余剰水を効率良く皿外に排出させて適度の水分量でフェルト化作業ができるという優れた効果を奏するものである。
【００２７】
さらに、請求項４に記載の発明に係るフェルト製品制作器は、前記２つの板の対向面が、それぞれ粗面に仕上げられていることを特徴としているから、羊毛とこれに対向する板との間の必要な摩擦抵抗を保持させ、羊毛全体にけん縮に必要な適度の振動が効率的に加えられるという優れた効果を奏するものである。
【図面の簡単な説明】
【図１】本願制作器を示す一部切欠外観斜視図である。
【図２】本願制作器の正面断面図である。
【図３】蓋側の板の微小偏心運動を示す平面図である。
【図４】（ａ）は蓋を開けて羊毛を積層、セットした状態を示す斜視図、（ｂ）は羊毛と手袋型と石けん水との準備品の斜視図である。
【図５】蓋を閉じて羊毛を板間に挟持させた状態を示す正面断面図である。
【図６】閉じた蓋の外からハンドル操作している状態を示す斜視図である。
【符号の説明】
１  本願制作器
２  本体
３  蓋
４  本体側の板
５  蓋側の板
６  バネ
７  ハンドル
８  円盤
９  筒体
１０  筒体
１１  排水孔
１２  補強リブ
１３、１３′  蝶番
１４  スライド錠
Ｙ  羊毛
Ｋ  手袋型
Ｗ  石けん水
Ｐ  円盤の回転中心
Ｐ′  円盤に立てた筒体の中心
Ｂ  ペットボトル
Ｂ′  キャップ
Ａ  キャップに開けた複数の穴
【図１】
2005002479.tif 000003
【図２】
2005002479.tif 000004
【図３】
2005002479.tif 000005
【図４】
2005002479.tif 000006
【図５】
2005002479.tif 000007
【図６】
2005002479.tif 000008